(57)【特許請求の範囲】
【請求項１】
集合住宅の部屋毎にそれぞれ設置された複数の通信機能付きメータが通信線によって接続され、前記集合住宅に設置されて前記複数のメータの検針を行う集中検針装置において、
部屋番号及び前記メータ毎のＩＤ番号を管理する管理テーブルを記憶するためのメモリと、
前記部屋番号を入力して前記メモリ内の管理テーブルに登録する入力手段と、
前記メータ毎のＩＤ番号を、前記入力手段で登録された部屋番号を使用して埋め、余った桁を順次補完して、前記メモリ内の管理テーブルに登録する自動番号登録手段と、を備え、
前記入力手段は、前記メータへのＩＤ番号設定用として、前記管理テーブルに登録済みの前記部屋番号を指定する操作を受け付ける手段を有し、
当該集中検針装置は、前記指定された部屋番号に対してのみ、前記管理テーブルに記憶されたＩＤ番号を、該ＩＤ番号に対応する前記部屋番号の住戸に設置されたメータに対して送信し、該メータ側でのＩＤ番号の設定を行う個別ＩＤ番号設定手段を備えたことを特徴とする集中検針装置。
【請求項２】
集合住宅の部屋毎にそれぞれ設置された複数の通信機能付きメータが通信線によって接続され、前記集合住宅に設置されて前記複数のメータの検針を行う集中検針装置において、
部屋番号及び前記メータ毎のＩＤ番号を管理する管理テーブルを記憶するためのメモリと、
前記部屋番号を入力して前記メモリ内の管理テーブルに登録する入力手段と、
前記メータ毎のＩＤ番号を、前記入力手段で登録された部屋番号を使用して埋め、余った桁を順次補完して、前記メモリ内の管理テーブルに登録する自動番号登録手段と、を備え、
前記入力手段は、前記メータへのＩＤ番号設定用として、前記管理テーブルに登録済みの前記部屋番号を複数指定する操作を受け付ける手段を有し、
当該集中検針装置は、前記指定された複数の部屋番号に対して、前記管理テーブルに記憶されたＩＤ番号を、各ＩＤ番号に対応する前記部屋番号の住戸に設置された各メータに対して送信し、各メータ側でのＩＤ番号の設定を行う一斉ＩＤ番号設定手段を備えたことを特徴とする集中検針装置。
【請求項３】
前記自動番号登録手段は、前記余った桁のそれぞれを、全てのＩＤ番号に対して予め定められた同じ値で補完することを特徴とする請求項１又は２に記載の集中検針装置。
【請求項４】
前記入力手段は、オペレータからの前記部屋番号の入力操作を受け付ける手段を有し、該受け付けた部屋番号を前記メモリ内の管理テーブルに登録することを特徴とする請求項１〜３のいずれか１項に記載の集中検針装置。
【発明の詳細な説明】
【技術分野】
【０００１】
本発明は、集中検針装置に関し、より詳細には、集合住宅等の各住戸に設置されている複数の通信機能付きメータが接続される集中検針装置に関する。
【背景技術】
【０００２】
従来から、大規模な集合住宅等の各住宅に複数設置された水道メータやガスメータ等のメータを集中的に検針するために集中検針装置が用いられている。このような複数メータ及び集中検針装置でなる集中検針システムでは、通常、部屋番号（住宅番号）に対応した認識番号（ＩＤ番号）をメータに登録し、そのＩＤ番号を設置工事後に集中検針盤に登録する。部屋番号に対応したＩＤ番号は、建物単位やフロア単位でまとまった一連の番号になっている場合が多いが、全体的には不連続な番号である。
【０００３】
メータ毎のＩＤ番号を集中検針装置に登録する場合には、入力キーによって一つ一つ番号を登録していかなければならず、その登録に要する手間と時間が多大であり、また誤登録の可能性も大きい。
【０００４】
このような課題を解決することを目的とした集中検針システムが開示されている（例えば、特許文献１を参照）。特許文献１に記載の集中検針システムは、集中検針盤（集中検針装置）に、メータ毎のＩＤ番号を記憶するためのメモリと、その登録・消去を行うことができるキーと、メータの一連のＩＤ番号の先頭番号と最終番号のキー入力で、その間のＩＤ番号を順次補完してメモリに記憶させる自動ナンバリング手段とを備える。
【０００５】
例えば、１０階建てのアパートを想定し、各階には１号室から１５号室まであるとすると、下２桁に部屋番号の０１〜１５を、上２桁に各階の０１〜１０を割り当てる。３階の１０号室ならば０３１０、６階の１号室ならば０６０１となる。これを０１０１から１０１５まで一つ一つ登録した場合、１５０回のキー入力が必要である。しかし、上述の自動ナンバリング手段により、各階毎の先頭番号と最終番号を入力すればよく、２０回のキー入力作業で済み、登録作業時間を大幅に短縮できる。
【０００６】
ところで、近年では、通信機能付き水道メータとして１４桁のＩＤ番号を有するものが広く採用されている。
【特許文献１】特許第２９７１９１０号公報
【発明の開示】
【発明が解決しようとする課題】
【０００７】
しかしながら、特許文献１に記載の集中検針システムでは、集中検針装置に対するＩＤ番号のナンバリングを行うだけであり、ＩＤ番号の桁数が増えた場合、喩え下４桁に階番号及び部屋番号を使用したとしても、一部屋当たりのキー入力数（例えば１階の１号室ならば「０００００００００００１０１」の１４回）が多くなり、登録に多大な手間と時間を費やし、誤登録の可能性が大きい。
【０００８】
また、この集中検針システムは、メータ側には個別にそのＩＤ番号を付与して登録する必要があり、その登録に関しても多大な手間と時間を費やし、誤登録の可能性が大きい。
【０００９】
本発明は、上述のごとき実情に鑑みてなされたものであり、集合住宅の階番号を含む部屋番号に対比させてメータのＩＤ番号を登録するに際し、採用するＩＤ番号の桁数が多い場合であっても、手間、時間、及び誤登録を最小限に抑えることが可能で、且つ登録されたＩＤ番号をメータ側に対しても容易に登録できるようにすることが可能な、集中検針装置を提供することをその目的とする。
【課題を解決するための手段】
【００１１】
請求項１の発明は、集合住宅の部屋毎にそれぞれ設置された複数の通信機能付きメータが通信線によって接続され、前記集合住宅に設置されて前記複数のメータの検針を行う集中検針装置において、部屋番号及び前記メータ毎のＩＤ番号を管理する管理テーブルを記憶するためのメモリと、前記部屋番号を入力して前記メモリ内の管理テーブルに登録する入力手段と、前記メータ毎のＩＤ番号を、前記入力手段で登録された部屋番号を使用して埋め、余った桁を順次補完して、前記メモリ内の管理テーブルに登録する自動番号登録手段と、を備え、前記入力手段は、前記メータへのＩＤ番号設定用として、前記管理テーブルに登録済みの前記部屋番号を指定する操作を受け付ける手段を有し、当該集中検針装置は、前記指定された部屋番号に対してのみ、前記管理テーブルに記憶されたＩＤ番号を、該ＩＤ番号に対応する前記部屋番号の住戸に設置されたメータに対して送信し、該メータ側でのＩＤ番号の設定を行う個別ＩＤ番号設定手段を備えたことを特徴としたものである。
【００１２】
請求項２の発明は、集合住宅の部屋毎にそれぞれ設置された複数の通信機能付きメータが通信線によって接続され、前記集合住宅に設置されて前記複数のメータの検針を行う集中検針装置において、部屋番号及び前記メータ毎のＩＤ番号を管理する管理テーブルを記憶するためのメモリと、前記部屋番号を入力して前記メモリ内の管理テーブルに登録する入力手段と、前記メータ毎のＩＤ番号を、前記入力手段で登録された部屋番号を使用して埋め、余った桁を順次補完して、前記メモリ内の管理テーブルに登録する自動番号登録手段と、を備え、前記入力手段は、前記メータへのＩＤ番号設定用として、前記管理テーブルに登録済みの前記部屋番号を複数指定する操作を受け付ける手段を有し、当該集中検針装置は、前記指定された複数の部屋番号に対して、前記管理テーブルに記憶されたＩＤ番号を、各ＩＤ番号に対応する前記部屋番号の住戸に設置された各メータに対して送信し、各メータ側でのＩＤ番号の設定を行う一斉ＩＤ番号設定手段を備えたことを特徴としたものである。
請求項３の発明は、請求項１又は２の発明において、前記自動番号登録手段は、前記余った桁のそれぞれを、全てのＩＤ番号に対して予め定められた同じ値で補完することを特徴としたものである。
【００１３】
請求項４の発明は、請求項１〜３のいずれか１の発明において、前記入力手段は、オペレータからの前記部屋番号の入力操作を受け付ける手段を有し、該受け付けた部屋番号を前記メモリ内の管理テーブルに登録することを特徴としたものである。
【発明の効果】
【００１６】
本発明によれば、集中検針装置において、集合住宅の階番号を含む部屋番号に対比させてメータのＩＤ番号を登録するに際し、採用するＩＤ番号の桁数が多い場合であっても、手間、時間、及び誤登録を最小限に抑えることが可能となる。
【００１７】
また、本発明によれば、この集中検針装置において、登録されたＩＤ番号をメータ側に対しても容易に登録できるようになる。
【発明を実施するための最良の形態】
【００１８】
図１は、本発明の一実施形態に係る集中検針装置の構成例を示すブロック図で、図２は、図１の集中検針装置のメモリ内に格納される管理テーブルの具体例を示す図である。図１及び図２において、１は集中検針装置、１１は入力手段、１２はメモリ、１３は液晶等を用いた表示部、１４は自動番号登録手段、２は管理テーブル、２１は端子番号の項目、２２は部屋番号の項目、２３はＩＤ番号の項目である。
【００１９】
集中検針装置１は、図示しない複数の通信機能付き水道メータが通信線によって接続され、ＩＤ番号の識別を用いてそれらの水道メータと通信を行って検針する装置である。なお、他の実施形態も含めて水道メータで例示するがガスメータ等の他のメータにも同様に適用できる。水道メータは、集合住宅の部屋毎にそれぞれ設置されるものであるが、当然集合住宅の全ての部屋に設置されなくてもよい。ここで、部屋とは居住単位を指し住宅とも言え、集合住宅とはマンションやアパート等を一般的に指すが個人の宅の集合に限ったものではない。
【００２０】
集中検針装置１は、入力手段１１、メモリ１２、及び自動番号登録手段１４を備え、好ましくは表示部１３を備える。表示部１３は、集合住宅の部屋番号及びその部屋番号の住戸に設置された水道メータの検針値を表示する。メモリ１２は、部屋番号及び水道メータ毎のＩＤ番号を管理する管理テーブルを記憶する。この管理テーブルについては図２を参照して後述する。
【００２１】
入力手段１１は、部屋番号を入力してメモリ１２内の管理テーブルに登録する手段であり、登録だけでなく消去も実行できるよう構成することが好ましい。入力手段１１としては、オペレータが直接、集中検針装置１に具備された操作ボタン（或いは表示部１３をタッチパネルで構成する場合には表示部１３）等を操作することによって入力を受け付ける手段が挙げられる。なお、入力手段１１としては集中検針装置１に有線／無線によって接続されたコンピュータ等の外部機器を介した入力を受け付ける手段も採用できるが、オペレータによる直接入力の方が接続の手間もかからない上に本発明の効果をより有益に得られる。
【００２２】
入力手段１１における、入力された部屋番号を管理テーブルに登録する手段、及び後述の自動番号登録手段１４は、図示しないマイコンに実行可能に組み込んだプログラムとして実現できる。
【００２３】
そして、本発明の主たる特徴である自動番号登録手段１４は、水道メータ毎のＩＤ番号を、入力手段１１で登録された部屋番号を使用して埋め、余った桁を順次補完して、メモリ１２内の管理テーブルに登録する。すなわち、自動番号登録手段１４で付される水道メータの一連のＩＤ番号は、登録した部屋番号を使用して埋め、余った桁を順次補完したものとなる。
【００２４】
ここで、自動番号登録手段１４は、余った桁のそれぞれを、全てのＩＤ番号に対して予め定められた同じ値で補完するようにすることが好ましい。補完する同じ値とは、例えばＩＤ番号が１４桁（そのうち階数も含めた部屋番号が４桁）の場合で言うと、「０００００００００」のように全ての桁で同じ値としてもよいし、「０５００１００１００」のように桁毎に異ならせてもよく、後者の場合には地域番号などの他の番号を表すように付加することが可能となる。
【００２５】
また、上述のごとく入力手段１１がオペレータからの部屋番号の入力操作を受け付ける手段を有し、その受け付けた部屋番号をメモリ内の管理テーブル２に登録するよう構成することで、オペレータからの入力操作だけで、自動番号登録手段１４が管理テーブルに登録された部屋番号を使用してＩＤ番号を自動登録できる。
【００２６】
次に、図２を参照してメモリ１２内に保持される管理テーブル２について説明する。管理テーブル２は、端子番号、部屋番号、及びＩＤ番号といった項目２１，２２，２３、並びに各項目に対する情報（項目の内容）で構成され、項目の情報としては未登録時には端子番号の項目２１の情報のみが格納されている。項目２１の情報としては、集中検針装置１に各水道メータを接続する端子の番号が、「１」，「２」，・・・といった具合に１から順に付されている。
【００２７】
項目２２の情報としては、端子番号に対応した部屋番号が格納されており、ここでは「０１０１」，「０１０２」，・・・といった具合に下３，４桁目で階数を表し下１，２桁目で階数を除いた部屋番号を表している。例えば、１５階建ての集合住宅を想定し、各フロアには１０室毎の住戸があるとすると、部屋番号の下２桁が部屋番号（階数を除く）を示す０１〜１０が割り当てられ、下３，４桁目は各階を示す１〜１５が割り当てられている。１階の１号室ならば０１０１、１５階の２号室ならば１５０２となる。仮に、これを０１０１から１５１０まで登録した場合は、６００回のキー入力作業が必要である。なお、このキー入力操作自体は、特許文献１の技術を採用することで自動付与すると、２０回×４字＝８０回のキー入力作業で済む。
【００２８】
項目２３の情報としては、部屋番号に基づき自動番号登録手段１４で自動登録されたＩＤ番号が格納されており、ここでは「０００００００００００１０１」，「０００００００００００１０２」，・・・といった具合に部屋番号の前に「００００００００００」が自動的に付加されている。このように、通信機能付き水道メータは近年、１４桁のＩＤ番号を有するものが広く採用されており、本例においてもＩＤ番号を１４桁で例示している。
【００２９】
ＩＤ番号が１４桁の場合、上述の例では、仮に自動番号登録手段１４を具備しない従来の装置を適用すると、キー入力作業が集中検針装置１に対して２１００回、水道メータに対しても２１００回（合計４２００回）も必要となる。しかし、本発明では、上述のように部屋番号のみを入力すれば、ＩＤ番号を例えば下桁詰めで自動登録して、余った上桁は０等で補完されるので、登録作業時間を大幅に短縮することができる。また、特許文献１のごとき技術を用いて部屋番号の自動付与を行った後に、上述のごとく本発明の自動番号登録手段１４におけるＩＤ番号の自動登録を行うことで、よりキー入力作業の手間や時間が省ける。
【００３０】
以上、本実施形態によれば、集中検針装置において、集合住宅等の階番号を含む部屋番号に対比させてＩＤ番号を登録するに際し、登録された部屋番号を水道メータのＩＤ番号として自動的に登録するので、採用するＩＤ番号の桁数が多い場合であっても、手間、時間、及び誤登録を最小限に抑えることが可能となる。また、登録された部屋番号を水道メータのＩＤ番号として用いること自体も、従来集中検針装置にＩＤ番号の登録を必要とする手間と時間、及び誤登録を最小限に抑えることに貢献する。さらに、登録したＩＤ番号は上述の通り部屋番号と同一のものを基本としているため、集中検針装置の部屋番号表示部に表示される部屋番号によりＩＤ番号の確認も容易に行うことができる。
【００３１】
図３は、本発明の他の実施形態に係る集中検針装置の構成例を示すブロック図で、図中、３は集中検針装置、３１は入力手段、３２はメモリ、３３は表示部、３４は個別ＩＤ番号設定手段である。ここで、入力手段３１、メモリ３２、及び表示部３３は、それぞれ図１の入力手段１１、メモリ１２、及び表示部１３に対応した構成要素であり、その説明を一部省略する。なお、図３には、自動番号登録手段１４を図示していないが図１での説明と同様に集中検針装置３にも備えるものとする。
【００３２】
集中検針装置３は、入力手段３１、メモリ３２、及び表示部３３の他に、本実施形態の主たる特徴として個別ＩＤ番号設定手段３４を有する。そして、入力手段３１は、水道メータへのＩＤ番号設定用として、管理テーブル２に登録済みの部屋番号を指定する操作を受け付ける手段を有するものとする。
【００３３】
本実施形態では、入力手段３１によりＩＤ番号を設定したい部屋番号を選択や入力で指定することにより、例えば図３の水道メータ＃１（実線部）が選択される。このような簡易な選択により、部屋番号が表示部３３に表示され、表示部３３でＩＤ番号を確認することができる。
【００３４】
また、個別ＩＤ番号設定手段３４は、入力手段３１でオペレータからの操作により指定された水道メータ＃１のみに対して、メモリ３２に記憶されたＩＤ番号の設定を行う。この設定は、指定された部屋番号に対応したＩＤ番号に対応する水道メータ＃１に対して、管理テーブル２に記憶されたＩＤ番号を送信することで、その水道メータ＃１側でのＩＤ番号の設定を実行させる。
【００３５】
以上、本実施形態によれば、図１及び図２で説明した実施形態の効果に加え、集中検針装置に登録されたＩＤ番号を集中検針装置より水道メータに対して登録を行うので、水道メータにＩＤ番号の登録を必要とする手間と時間、及び誤登録を抑えることができる。
【００３６】
図４は、本発明の他の実施形態に係る集中検針装置の構成例を示すブロック図で、図中、４は集中検針装置、４１は入力手段、４２はメモリ、４３は表示部、４４は一斉ＩＤ番号設定手段である。ここで、入力手段４１、メモリ４２、及び表示部４３は、それぞれ図３の入力手段３１、メモリ３２、及び表示部３３に対応した構成要素であり、その説明を一部省略する。なお、図４には、自動番号登録手段１４を図示していないが図１での説明と同様に集中検針装置４にも備えるものとする。
【００３７】
集中検針装置４は、入力手段４１、メモリ４２、及び表示部４３の他に、本実施形態の主たる特徴として一斉ＩＤ番号設定手段４４を有する。そして、入力手段４１は、水道メータへのＩＤ番号設定用として、管理テーブル２に登録済みの部屋番号を複数指定する操作、すなわち複数の水道メータに対してＩＤ番号を設定する操作を受け付ける手段を有するものとする。
【００３８】
本実施形態では、入力手段４１によりＩＤ番号を設定したい部屋番号を複数、選択や入力で指定することにより、例えば図４の水道メータ＃１〜＃ｎ（実線部）が選択される。このような簡易な選択により、部屋番号が順次、表示部４３に更新表示され、表示部４３でＩＤ番号を確認することができる。
【００３９】
また、一斉ＩＤ番号設定手段４４は、入力手段４１でオペレータからの操作により指定された複数の水道メータ＃１〜＃ｎに対して、順次、メモリ４３に記憶されたＩＤ番号の設定を行う。この設定は、指定された複数の部屋番号に対応した複数ＩＤ番号に対応する水道メータ＃１〜＃ｎに対して、管理テーブル２に記憶された対応のＩＤ番号を送信することで、その水道メータ＃１〜＃ｎ側でのＩＤ番号の設定を実行させる。
【００４０】
以上、本実施形態によれば、図３で説明した実施形態の効果に加え、集中検針装置に登録されたＩＤ番号を集中検針装置より一括して複数の水道メータ（全ての水道メータでも可）に対して登録を行うので、水道メータにＩＤ番号の登録を必要とする手間と時間、及び誤登録を最小限に抑えることができる。
【図面の簡単な説明】
【００４１】
【図１】本発明の一実施形態に係る集中検針装置の構成例を示すブロック図である。
【図２】図１の集中検針装置のメモリ内に格納される管理テーブルの具体例を示す図である。
【図３】本発明の他の実施形態に係る集中検針装置の構成例を示すブロック図である。
【図４】本発明の他の実施形態に係る集中検針装置の構成例を示すブロック図である。
【符号の説明】
【００４２】
１，３，４…集中検針装置、２…管理テーブル、１１，３１，４１…入力手段、１２，３２，４２…メモリ、１３，３３，４３…表示部、１４…自動番号登録手段、２１…端子番号の項目、２２…部屋番号の項目、２３…ＩＤ番号の項目、３４…個別ＩＤ番号設定手段、４４…一斉ＩＤ番号設定手段。
【図１】
0004722726.tif 000002
【図２】
0004722726.tif 000003
【図３】
0004722726.tif 000004
【図４】
0004722726.tif 000005